(57)【要約】【課題】初心者にとっては操作し易く、操作になれた者にとっては誤操作の抑制が図られる汚泥濃縮装置の操作装置および流路表示装置を提供する。【解決手段】反応槽と、ドラムスクリーンと、汚泥槽と、前記槽を加減圧するための真空ポンプと、流路を切換える複数の弁と、を備える汚泥濃縮装置の操作装置１００において、複数の弁をそれぞれ操作するための複数の操作レバー５９Ｌ，６１Ｌ，７７Ｌと、浄化槽から前記槽へ汚泥を吸引するために操作レバー５９Ｌ，６１Ｌ，７７Ｌが操作されるべき方向をそれぞれ案内する第１案内表示１１７ａ〜１１７ｃと、分離水を浄化槽へ排出するために操作レバー５９Ｌ，６１Ｌ，７７Ｌが操作されるべき方向をそれぞれ案内する第２案内表示１１８ａ，〜１１８ｃと、を備える。そして、第１案内表示１１７ａ〜１１７ｃと、第２案内表示１１８ａ〜１１８ｃとは互いに異なる色で表示されている。【選択図】図３
2010214317.tif 000002
【特許請求の範囲】
【請求項１】
汚泥の凝集反応処理が施される反応槽と、凝集反応処理が施された汚泥を凝集汚泥と汚水とに分離する汚泥分離機と、前記汚泥分離機にて分離された凝集汚泥を蓄積する汚泥槽と、前記槽を加減圧するためのポンプと、流路を切換える複数の弁と、を備える汚泥濃縮装置の操作装置であって、
前記複数の弁をそれぞれ操作するための複数の操作部材と、
外部から前記汚泥槽又は前記反応槽へ汚泥を吸引するために前記複数の操作部材が操作されるべき方向をそれぞれ案内する第１案内表示と、
前記汚泥分離機にて分離された汚水を外部へ排出するために前記複数の操作部材が操作されるべき方向をそれぞれ案内する第２案内表示と、
を備え、
前記第１案内表示と前記第２案内表示とが互いに異なる色で表示されていることを特徴とする汚泥濃縮装置の操作装置。
【請求項２】
請求項１に記載の汚泥濃縮装置の操作装置において、
汚泥濃縮装置における前記反応槽、前記汚泥分離機、前記汚泥槽および配管を模式的に表す絵図と前記模式的に表された配管上に配設された複数の発光体とを有する流路表示盤と、
前記弁の操作状態を検出する操作状態検出手段と、
前記操作状態検出手段の検出情報と該検出情報に対応付けて予め設定された発光パターンとに基づいて、前記各発光体の点灯および消灯を行う発光制御手段と、
を備えることを特徴とする汚泥濃縮装置の操作装置。
【請求項３】
請求項２に記載の汚泥濃縮装置の操作装置において、
前記流路表示盤は、汚泥濃縮装置における前記ポンプを模式的に表す絵図と、浄化槽を模式的に表す絵図と、を更に有することを特徴とする汚泥濃縮装置の操作装置。
【請求項４】
請求項２又は３に記載の汚泥濃縮装置の操作装置において、
前記予め設定された発光パターンでは、配管を模式的に表す絵図上に配設された発光体のうち、前記複数の弁の操作状態に応じて流路となる配管の絵図上に配設された発光体と、その他の配管の絵図上に配設された発光体との点灯・消灯状態が相違していることを特徴とする汚泥濃縮装置の操作装置。
【請求項５】
請求項２又は３に記載の汚泥濃縮装置の操作装置において、
前記予め設定された発光パターンでは、配管を模式的に表す絵図上に配設された発光体のうち、前記複数の弁の操作状態に応じて流路となる配管の絵図上に配設された発光体は点灯され、その他の配管の絵図上に配設された発光体は消灯されることを特徴とする汚泥濃縮装置の操作装置。
【請求項６】
汚泥の凝集反応処理が施される反応槽と、凝集反応処理が施された汚泥を凝集汚泥と汚水とに分離する汚泥分離機と、前記汚泥分離機にて分離された凝集汚泥を蓄積する汚泥槽と、前記槽を加減圧するためのポンプと、流路を切換える複数の弁と、を備える汚泥濃縮装置の流路表示装置であって、
汚泥濃縮装置における前記反応槽、前記汚泥分離機、前記汚泥槽および配管を模式的に表す絵図と、
前記模式的に表された配管上に配設された複数の発光体と、
前記弁の操作状態を検出する操作状態検出手段と、
前記操作状態検出手段の検出情報と該検出情報に対応付けて予め設定された発光パターンとに基づいて、前記各発光体の点灯および消灯を行う発光制御手段と、
を備えることを特徴とする汚泥濃縮装置の流路表示装置。
【請求項７】
請求項６に記載の汚泥濃縮装置の流路表示装置において、
汚泥濃縮装置における前記ポンプを模式的に表す絵図と、
浄化槽を模式的に表す絵図と、
を更に備えることを特徴とする汚泥濃縮装置の流路表示装置。
【請求項８】
請求項６又は７に記載の汚泥濃縮装置の流路表示装置において、
前記予め設定された発光パターンでは、配管を模式的に表す絵図上に配設された発光体のうち、前記複数の弁の操作状態に応じて流路となる配管の絵図上に配設された発光体と、その他の配管の絵図上に配設された発光体との点灯・消灯状態が相違していることを特徴とする汚泥濃縮装置の流路表示装置。
【請求項９】
請求項６又は７に記載の汚泥濃縮装置の流路表示装置において、
前記予め設定された発光パターンでは、配管を模式的に表す絵図上に配設された発光体のうち、前記複数の弁の操作状態に応じて流路となる配管の絵図上に配設された発光体は点灯され、その他の配管の絵図上に配設された発光体は消灯されることを特徴とする汚泥濃縮装置の流路表示装置。
【発明の詳細な説明】
【技術分野】
【０００１】
本発明は、浄化槽から汚泥を取り込んで濃縮する汚泥濃縮装置の操作装置および前記汚泥濃縮装置の流路表示装置に関する。
【背景技術】
【０００２】
一般家庭の浄化槽から汚泥を回収して汚泥処理場へ運搬するために汚泥濃縮装置を搭載した汚泥濃縮車が使用されている（例えば特許文献１を参照。）。汚泥濃縮車によれば、浄化槽の汚泥（原汚泥）を取り込んで固形分の汚泥と水分の汚水とに分離し、分離した汚水を浄化槽に戻して、固形分の汚泥のみを回収して運搬することができる。このため、汚泥処理場までの運搬量を大幅に低減することができる。
【０００３】
特許文献１に開示されている汚泥濃縮車によって、浄化槽内の汚泥（原汚泥）から固形分の汚泥を分離回収する場合、作業者により、浄化槽内にホースが挿入され、同文献の第３図に示される車両左後部の操作装置に配置された３〜４個のバルブ操作レバー等が操作される。このレバー操作等によって、汚泥濃縮装置内での流路が切換わり、真空ポンプの吸引力によって、浄化槽内の汚泥が汚泥槽や反応槽に吸引される。
【０００４】
その後、操作装置のバルブ操作レバー等が更に操作されて、反応槽に吸引された汚泥は凝集剤と攪拌され、ゲル状に凝集した凝集汚泥が生成する。
【０００５】
その後、更に操作装置のバルブ操作レバー等が操作されて、凝集反応処理が施された汚泥が汚泥槽内の上部に設置されたドラムスクリーン（汚泥分離機）に圧送される。ドラムスクリーンでは、凝集汚泥と凝集せずに残った汚水とが分離され、凝集汚泥は汚泥槽に蓄積され、分離された汚水は浄化槽に戻される。
【先行技術文献】
【特許文献】
【０００６】
【特許文献１】特開２００８−９３５９１号公報
【発明の概要】
【発明が解決しようとする課題】
【０００７】
ところで、上記汚泥濃縮装置では、多数のレバー操作を要するため、初心者が操作を覚えるのに時間が掛かるという問題があった。また、操作に慣れた作業者であっても、誤操作をするおそれがあった。
【０００８】
本発明は、既述の問題点に鑑みてなされたものであり、初心者にとっては操作し易く、操作になれた者にとっては誤操作の抑制が図られる汚泥濃縮装置の操作装置および流路表示装置を提供することを目的とする。
【課題を解決するための手段】
【０００９】
上述の課題を解決するための手段として、本発明の汚泥濃縮装置の操作装置は、以下のように構成されている。
【００１０】
すなわち、本発明の汚泥濃縮装置の操作装置は、汚泥の凝集反応処理が施される反応槽と、凝集反応処理が施された汚泥を凝集汚泥と汚水とに分離する汚泥分離機と、前記汚泥分離機にて分離された凝集汚泥を蓄積する汚泥槽と、前記槽を加減圧するためのポンプと、流路を切換える複数の弁と、を備える汚泥濃縮装置の操作装置であって、前記複数の弁をそれぞれ操作するための複数の操作部材と、外部から前記汚泥槽又は前記反応槽へ汚泥を吸引するために前記複数の操作部材が操作されるべき方向をそれぞれ案内する第１案内表示と、前記汚泥分離機にて分離された汚水を外部へ排出するために前記複数の操作部材が操作されるべき方向をそれぞれ案内する第２案内表示と、を備えるものであり、前記第１案内表示と前記第２案内表示とが互いに異なる色で表示されていることを特徴とするものである。
【００１１】
かかる構成を備える汚泥濃縮装置の操作装置によれば、汚泥吸引時に従うべき第１案内表示と分離水排出時に従うべき第２案内表示とが互いに異なる色で表示されていることから、初心者でも簡単に正しい操作を行うことができる。また、操作に慣れた作業者にとっては、誤操作の抑制が図られる。
【００１２】
また、本発明の汚泥濃縮装置の操作装置は、既述の構成において、汚泥濃縮装置における前記反応槽、前記汚泥分離機、前記汚泥槽および配管を模式的に表す絵図と前記模式的に表された配管上に配設された複数の発光体とを有する流路表示盤と、前記弁の操作状態を検出する操作状態検出手段と、前記操作状態検出手段の検出情報と該検出情報に対応付けて予め設定された発光パターンとに基づいて前記各発光体の点灯および消灯を行う発光制御手段と、を備えるものであることが望ましい。
【００１３】
かかる構成を備える汚泥濃縮装置の操作装置によれば、弁の操作状態に応じて定まる流路が配管絵図上に表現されるよう、予め弁の操作状態の検出情報に対応付けて複数の発光パターンを設定しておくことにより、作業者は、絵図および発光体の点灯・消灯にて表現される擬似的な流路を見て、汚泥濃縮装置内で行われている処理状態を視覚的に把握することができる。また、絵図および発光体の点灯・消灯にて表現される擬似的な流路を見ながら操作することで、初心者でも比較的容易に正しい操作を行うことができ、操作に慣れた作業者にとっては、誤操作の防止が図られる。
【００１４】
また、本発明の汚泥濃縮装置の操作装置は、既述の構成において、前記流路表示盤は、汚泥濃縮装置における前記ポンプを模式的に表す絵図と、浄化槽を模式的に表す絵図と、を更に有するものであることが望ましい。
【００１５】
かかる構成を備える汚泥濃縮装置の操作装置によれば、更に、汚泥濃縮装置内で行われている処理状態を視覚的に把握し易くなる。
【００１６】
また、本発明の汚泥濃縮装置の操作装置は、既述の構成において、前記予め設定された発光パターンでは、配管を模式的に表す絵図上に配設された発光体のうち、前記複数の弁の操作状態に応じて流路となる配管の絵図上に配設された発光体と、その他の配管の絵図上に配設された発光体との点灯・消灯状態が相違しているものであることが望ましい。
【００１７】
また、前記予め設定された発光パターンでは、配管を模式的に表す絵図上に配設された発光体のうち、前記複数の弁の操作状態に応じて流路となる配管の絵図上に配設された発光体は点灯され、その他の配管の絵図上に配設された発光体は消灯されるものであることが更に望ましい。
【００１８】
かかる構成を備える汚泥濃縮装置の操作装置によれば、更に、汚泥濃縮装置内で行われている処理状態を視覚的に把握し易くなる。
【００１９】
上述の課題を解決するための手段として、本発明の汚泥濃縮装置の流路表示装置は、以下のように構成されている。
【００２０】
すなわち、本発明の汚泥濃縮装置の流路表示装置は、汚泥の凝集反応処理が施される反応槽と、凝集反応処理が施された汚泥を凝集汚泥と汚水とに分離する汚泥分離機と、前記汚泥分離機にて分離された凝集汚泥を蓄積する汚泥槽と、前記槽を加減圧するためのポンプと、流路を切換える複数の弁と、を備える汚泥濃縮装置の流路表示装置であって、汚泥濃縮装置における前記反応槽、前記汚泥分離機、前記汚泥槽および配管を模式的に表す絵図と、前記模式的に表された配管上に配設された複数の発光体と、前記弁の操作状態を検出する操作状態検出手段と、前記操作状態検出手段の検出情報と該検出情報に対応付けて予め設定された発光パターンとに基づいて、前記各発光体の点灯および消灯を行う発光制御手段と、を備えることを特徴とするものである。
【００２１】
かかる構成を備える汚泥濃縮装置の流路表示装置によれば、弁の操作状態に応じて定まる流路が配管絵図上に表現されるよう、予め弁の操作状態の検出情報に対応付けて複数の発光パターンを設定しておくことで、作業者は、絵図および発光体の点灯・消灯にて表現される擬似的な流路を見て、汚泥濃縮装置内で行われている処理状態を視覚的に把握することができる。
【００２２】
また、本発明の汚泥濃縮装置の流路表示装置は、既述の構成において、汚泥濃縮装置における前記ポンプを模式的に表す絵図と、浄化槽を模式的に表す絵図と、を更に備えることが望ましい。
【００２３】
かかる構成を備える汚泥濃縮装置の流路表示装置によれば、更に、汚泥濃縮装置内で行われている処理状態を視覚的に把握し易くなる。
【００２４】
また、本発明の汚泥濃縮装置の流路表示装置は、既述の構成において、前記予め設定された発光パターンでは、配管を模式的に表す絵図上に配設された発光体のうち、前記複数の弁の操作状態に応じて流路となる配管の絵図上に配設された発光体と、その他の配管の絵図上に配設された発光体との点灯・消灯状態が相違しているものであることが望ましい。
【００２５】
また、前記予め設定された発光パターンでは、配管を模式的に表す絵図上に配設された発光体のうち、前記複数の弁の操作状態に応じて流路となる配管の絵図上に配設された発光体は点灯され、その他の配管の絵図上に配設された発光体は消灯されるものであることが更に望ましい。
【００２６】
かかる構成を備える汚泥濃縮装置の流路表示装置によれば、更に、汚泥濃縮装置内で行われている処理状態を視覚的に把握し易くなる。
【発明の効果】
【００２７】
本発明に係る汚泥濃縮装置の操作装置によれば、初心者でも簡単に操作を行うことができ、操作に慣れた作業者にとっては、誤操作をするおそれが少なくなる。
【００２８】
また、本発明に係る汚泥濃縮装置の流路表示装置によれば、絵図および発光体の点灯・消灯にて表現される模擬的な流路を見て、汚泥濃縮装置内で行われている処理状態を視覚的に把握することができる。
【図面の簡単な説明】
【００２９】
【図１】本発明の実施の形態に係る汚泥濃縮装置を搭載した汚泥濃縮車の左側面図である。
【図２】本発明の実施の形態に係る汚泥濃縮装置の配管図である。
【図３】本発明の実施の形態に係る汚泥濃縮装置の操作装置が備える操作盤を示す図である。
【図４】本発明の実施の形態に係る汚泥濃縮装置の流路表示装置（流路表示盤）を示す図である。
【図５】本発明の実施の形態に係る汚泥濃縮装置の流路表示装置（流路表示盤）の点灯制御回路等を示す回路図である。
【図６】点灯制御回路が各近接センサの検出状態から点灯・消灯パターンを決定するために、参照するテーブルである。
【図７】本発明の実施の形態に係る汚泥濃縮装置の流路表示装置（流路表示盤）を示す図であって、浄化槽から原汚泥を汚泥槽に吸引する際の流路を表現するようにＬＥＤの点灯および消灯を行っているものである。
【図８】本発明の実施の形態に係る汚泥濃縮装置の流路表示装置（流路表示盤）を示す図であって、浄化槽から原汚泥を反応槽に吸引する際の流路を表現するようにＬＥＤの点灯および消灯を行っているものである。
【図９】本発明の実施の形態に係る汚泥濃縮装置の流路表示装置（流路表示盤）を示す図であって、反応槽内で凝集反応処理を行う際の流路を表現するようにＬＥＤの点灯および消灯を行っているものである。
【図１０】本発明の実施の形態に係る汚泥濃縮装置の流路表示装置（流路表示盤）を示す図であって、反応槽から凝集反応処理を施した汚泥をドラムスクリーンで固形分の汚泥と汚水とに分離し、分離水を浄化槽に戻す際の流路を表現するようにＬＥＤの点灯および消灯を行っているものである。
【発明を実施するための形態】
【００３０】
以下、本発明の実施の形態について図面を参照して説明する。図１は、汚泥濃縮装置Ａを搭載した汚泥濃縮車１の左側面図である。
【００３１】
汚泥濃縮車１では、車両２のシャーシフレーム３上にサブフレーム４を設置し、そのサブフレーム４上にタンク５を搭載している。タンク５内は隔壁６によって２槽に隔離されており、隔壁６の前方が反応槽７、隔壁６の後方が汚泥槽８となっている。
【００３２】
タンク５の上部にはホースリール９が設置されている。このホースリール９は長尺（例えば６０ｍ）のホースである吸引・排出ホース１０を巻出し巻取り可能に収容している。
【００３３】
汚泥槽８内の上部には、ドラムスクリーン１１が設置されている。ドラムスクリーン１１は、凝集反応処理が施された汚泥を固形分の凝集汚泥と水分の汚水とに分離する汚泥分離機であり、圧送されてくる汚泥をその回転ドラム式濾過器によって、凝集汚泥と汚水とに分離する。濾過器上に残った凝集汚泥は、斜め下方に排出され、汚泥槽８内に蓄積される。一方、濾過器を通過して落下する汚水は、汚水容器に受け止められ、同容器内に設置された水中ポンプによって、外部（浄化槽等）へ圧送される。なお、ドラムスクリーン１１では、浄化槽から直接吸引した原汚泥（凝集反応処理が施されていない汚泥）を固形分の汚泥と水分の汚水とに分離することもできる。
【００３４】
タンク５の左前側には凝集液を収容した凝集タンク１２が設置され、タンク５の後方にはホースハンガ１３が設置されている。ホースハンガ１３には、近距離での作業に使用する短尺（例えば１０ｍ）の吸引・排出ホース１４等が巻き掛けられている。前記長尺の吸引・排出ホース１０と短尺の吸引・排出ホース１４とは、汚泥濃縮車１の駐車位置から浄化槽までの距離に応じて使い分けられる。
【００３５】
［汚泥濃縮装置の配管構成］
上記汚泥濃縮車１が搭載する汚泥濃縮装置Ａの配管構成について図２の配管図に基づいて説明する。
【００３６】
符号５１は汚泥濃縮車１の走行用エンジンの動力を取り出す動力取出装置（ＰＴＯ）、符号５２は動力取出装置（ＰＴＯ）５１によって駆動される真空ポンプである。
【００３７】
ＰＴＯ５１は、真空ポンプ５２のほかに、油圧ポンプＯＰを駆動している。油圧ポンプＯＰは、その吐出側に接続されたオイルモータＭを回転駆動する。このオイルモータＭの出力軸には、ドラムスクリーン１１の回転軸が連結されており、ドラムスクリーン１１にオイルモータＭの回転駆動力が伝達されるようになっている。Ｔは油タンクであり、その内部の油は、油圧ポンプＯＰに吸上げられ、オイルモータＭを経た後、戻される。
【００３８】
真空ポンプ５２の吐出側には、吐出側配管５３が接続されており、真空ポンプ５２の吸込側には、吸込側配管５４が接続されている。吸込側配管５４の途中位置には、逆流防止用のチェック弁５５が設けられている。
【００３９】
吐出側配管５３および吸込側配管５４は、それぞれ反応槽７に接続された反応槽吸引加圧管５７および大気に通じる吸排気管５８と連通可能なように吸排切換弁５９に接続されている。
【００４０】
吸排切換弁５９は、３位置４ポートの切換弁からなり、切換位置ａに切換えられると、吐出側配管５３と吸排気管５８とが連通するとともに、吸込側配管５４と反応槽吸引加圧管５７とが連通する。吸排切換弁５９が切換位置ｂに切換えられると、吐出側配管５３と吸込側配管５４とが連通するとともに、反応槽吸引加圧管５７と吸排気管５８とが連通する。吸排切換弁５９が切換位置ｃに切換えられると、吐出側配管５３と反応槽吸引加圧管５７とが連通するとともに、吸込側配管５４と吸排気管５８とが連通する。
【００４１】
この反応槽吸引加圧管５７には、タンク５側から順に、タンク５（反応槽７）内の水位のオーバフローを防止するためのフロート弁６４、オーバーフローセフティ弁６５が介設されている。また、反応槽吸引加圧管５７の途中位置には、大気に通じるリリーフ管６６が接続されており、このリリーフ管６６には、リリーフ弁６７が介設されている。
【００４２】
また、反応槽吸引加圧管５７の途中位置（リリーフ管６６よりタンク５側）には、分岐管６２の一端が接続されている。分岐管６２の他端は、エア切換弁６１の所定ポートに接続されており、このエア切換弁６１によって、汚泥槽８に接続された汚泥槽吸引加圧管６０と連通可能となっている。
【００４３】
エア切換弁６１は３位置３ポートの切換弁からなり、エア切換弁６１が切換位置ａに切換えられると、分岐管６２と汚泥槽吸引加圧管６０とが連通する。エア切換弁６１が切換位置ｂに切換えられると、分岐管６２および汚泥槽吸引加圧管６０が大気に通じる。エア切換弁６１が切換位置ｃに切換えられると、分岐管６２が閉塞されるとともに、汚泥槽吸引加圧管６０が大気に通じる。
【００４４】
なお、吸排気管５８にはその管路を開閉可能な大気開放弁６９が設けられており、この大気開放弁６９と上記吸排切換弁５９との間に一方向可変絞り弁７０の一方のポートが接続されている。上記一方向可変絞り弁７０の他方のポートは大気開放状態となっている。
【００４５】
符号７２は槽連絡管であり、その一端部は反応槽７の底部に接続され、その他端部は吸引通路切換弁７３の所定ポートに接続されている。
【００４６】
符号７４は第１汚泥水供給管であり、その一端部はタンク５の汚泥槽８の上部（下方にドラムスクリーン１１が存在しない場所）に接続され、その他端部は吸引通路切換弁７３の所定ポートに接続されている。
【００４７】
符号７５は第２汚泥水供給管であり、その一端部はタンク５の汚泥槽８内のドラムスクリーン１１に接続され、その他端部は後述する汚泥処理切換弁７７の所定ポートに接続されている。
【００４８】
符号７６は汚水還流管であり、その一端部はドラムスクリーン１１の水中ポンプ１１ａの吐出口に接続されており、その他端部は後述する汚泥処理切換弁７７の所定ポートに接続されている。
【００４９】
符号７８は、原汚泥吸引管であり、その一端部はその管路を開閉可能な長尺ホース開閉弁７９を介して長尺の吸引・排出ホース１０に接続されている。一方、原汚泥吸引管７８の他端部は汚泥処理切換弁７７の所定ポートに接続されている。また、原汚泥吸引管７８の途中位置より、分岐管７８ａが分岐している。この分岐管７８ａは、その管路を開閉可能な短尺ホース開閉弁８０を介して短尺の吸引・排出ホース１４に接続可能とされている。
【００５０】
槽連絡管７２、第１汚泥水供給管７４、第２汚泥水供給管７５、汚水還流管７６および原汚泥吸引管７８は、連繋管９０によって互いに接続された吸引通路切換弁７３および汚泥処理切換弁７７によって、互いに連通可能となっている。
【００５１】
上記吸引通路切換弁７３は、３位置３ポートの切換弁からなり、切換位置ａに切換えられると、槽連絡管７２が閉塞されるとともに、第１汚泥水供給管７４と連繋管９０が連通される。吸引通路切換弁７３が切換位置ｂに切換えられると、第１汚泥水供給管７４が閉塞されるとともに、槽連絡管７２と連繋管９０とが連通される。また、吸引通路切換弁７３が切換位置ｃに切換えられると、槽連絡管７２と第１汚泥水供給管７４とが連通されるとともに、連繋管９０が閉塞される。
【００５２】
また、汚泥処理切換弁７７が切換位置ａに切換えられると、第２汚泥水供給管７５と汚水還流管７６とが連通されるとともに、原汚泥吸引管７８と連繋管９０とが連通される。汚泥処理切換弁７７が切換位置ｂに切換えられると、汚水還流管７６と原汚泥吸引管７８とが連通されるとともに、第２汚泥水供給管７５と連繋管９０とが連通される。
【００５３】
凝集タンク１２は、反応槽７を貫通して設けられた凝集液注入管８４を介して反応槽７の底部に通じている。凝集液注入管８４の途中位置には、管路を開閉するための開閉弁８５が設けられている。さらに、凝集液注入管８４の開閉弁８５より反応室７側に、大気に通じる大気吸引管８６が接続され、この大気吸引管８６にも管路を開閉するための開閉弁８７が設けられている。
【００５４】
上記開閉弁８５および開閉弁８７には、開状態を検出する近接センサ８５−１，８７−１がそれぞれ設けられている。
【００５５】
タンク５の後底部には、汚泥槽８から蓄積された汚泥を排出するための排出管８８およびその管路を開閉するための開閉弁８９が設けられている。
【００５６】
［汚泥濃縮装置の操作装置］
次に、汚泥濃縮装置Ａの操作装置１００について図３に基づいて説明する。汚泥濃縮装置Ａの操作装置１００は、車両後方に面した操作盤１１０内に、汚泥濃縮装置Ａにおける流路を切換える各種弁を操作する操作レバー（操作部材）５９Ｌ，６１Ｌ，７３Ｌ，７７Ｌ，７９Ｌ、流路表示盤（流路表示装置）１１６等を備えている。
【００５７】
符号５９Ｌは、吸排切換弁５９を切換操作するための吸排操作レバーである。符号６１Ｌは、エア切換弁６１を切換操作するためのエア切換レバーである。符号７３Ｌは、吸引通路切換弁７３を切換操作するための吸引通路切換レバーである。符号７７Ｌは、汚泥処理切換弁７７を切換操作するための汚泥処理レバーである。符号７９Ｌは、長尺ホース開閉弁７９を開閉操作するためのホースリール開閉レバーである。
【００５８】
操作盤１１０上には、外部（例えば浄化槽Ｓ）から汚泥槽８又は反応槽７へ汚泥を吸引するために汚泥処理レバー７７Ｌ、エア切換レバー６１Ｌおよび吸排操作レバー５９Ｌの各レバーが切換操作されるべき方向をそれぞれ案内する操作案内表示（第１案内表示）１１７ａ〜１１７ｃが設けられている。図３に示す操作盤１１０では、操作案内表示１１７ａとして、反応槽７と汚泥槽８とを連結することを意味する「タンク連結」という赤色文字が記されている。また、操作案内表示１１７ｂとして、外部からタンク５内に汚泥を吸引することを意味する「汚泥吸引」という赤色文字が記されている。また、操作案内表示１１７ｃとして、タンク５内の空気を真空ポンプ５１にて吸引することを意味する「吸引」という赤色文字が記されている。
【００５９】
また、操作盤１１０上には、汚泥槽８又は反応槽７から外部（例えば浄化槽Ｓ）へ分離水を排出するために、汚泥処理レバー７７Ｌ、エア切換レバー６１Ｌおよび吸排気操作レバー５９Ｌの各レバーが切換操作されるべき方向をそれぞれ案内する操作案内表示（第２案内表示）１１８ａ〜１１８ｃが設けられている。図３に示す操作盤１１０では、操作案内表示１１８ａとして、反応槽７だけを吸引、加圧の対象とすることを意味する「凝集反応タンク単独」という青色文字が記されている。また、操作案内表示１１８ｂとして、タンク５内から分離水を外部（例えば浄化槽Ｓ）に排出することを意味する「分離水排出」という青色文字が記されている。また、操作案内表示１１８ｃとして、タンク５内を真空ポンプ５１にて加圧することを意味する「加圧」という青色文字が記されている。
【００６０】
本実施形態では、操作案内表示（第１案内表示）１１７ａ〜１１７ｃには赤色を、操作案内表示（第２案内表示）１１８ａ〜１１８ｃには青色を採用しているが、これらの表示色は、互いに識別可能に相違していればよく、採用する色は赤色および青色に限定されない。また、操作案内表示１１７ａ〜１１７ｃ，１１８ａ〜１１８ｃとして、文字の代わりに、図形、記号等を採用してもよい。
【００６１】
また、操作盤１１０上には、吸排切換弁５９、エア切換弁６１、吸引通路切換弁７３および汚泥処理切換弁７７の各操作状態（切換状態）を検出するために、吸排操作レバー５９Ｌ、エア切換レバー６１Ｌ、吸引通路切換レバー７３Ｌおよび汚泥処理レバー７７Ｌの位置をそれぞれ検出する近接センサが各２個設置されている。
【００６２】
具体的には、吸排切換弁５９が切換位置ａとなる吸排操作レバー５９Ｌの操作位置には、近接センサ５９−１が設置され、吸排切換弁５９が切換位置ｃとなる吸排操作レバー５９Ｌの操作位置には、近接センサ５９−２が設置されている。
【００６３】
また、エア切換弁６１が切換位置ａとなるエア切換レバー６１Ｌの操作位置には、近接センサ６１−１が設置され、エア切換弁６１が切換位置ｃとなるエア切換レバー６１Ｌの操作位置には、近接センサ６１−２が設置されている。
【００６４】
また、吸引通路切換弁７３が切換位置ａとなる吸引通路切換レバー７３Ｌの操作位置には、近接センサ７３−１が、吸引通路切換弁７３が切換位置ｂとなる吸引通路切換レバー７３Ｌの操作位置には、近接センサ７３−２が設置されている。
【００６５】
また、汚泥処理切換弁７７が切換位置ａとなる汚泥処理レバー７７Ｌの操作位置には、近接センサ７７−１が、汚泥処理切換弁７７が切換位置ｂとなる汚泥処理レバー７７Ｌの操作位置には、近接センサ７７−２が設置されている。
【００６６】
流路表示盤１１６は、操作盤１１０上にビス１０９にて取り付けられている。流路表示盤１１６は、浄化槽Ｓ並びに汚泥濃縮装置Ａの真空ポンプ５２、反応槽７、ドラムスクリーン１１、汚泥槽８、エア切換弁６１、吸引通路切換弁７３、汚泥処理切換弁７７を模式的に表す絵図を有している。すなわち、図４に示すように、流路表示盤１１６には、浄化槽絵図ＡＳ、真空ポンプ絵図Ａ５２、反応槽絵図Ａ７、ドラムスクリーン絵図Ａ１１、汚泥槽絵図Ａ８、エア切換弁絵図Ａ６１、吸引通路切換弁絵図Ａ７３、汚泥処理切換弁絵図Ａ７７が描かれている。
【００６７】
さらに、流路表示盤１１６には、汚泥濃縮装置Ａの各配管を模式的に表す絵図として、吸引・排出ホース絵図Ａ１０、第２汚泥水供給管絵図Ａ７５、汚水還流管絵図Ａ７６、槽連絡管絵図Ａ７２、第１汚泥水供給管絵図Ａ７４、汚泥槽吸引加圧管絵図Ａ６０、反応槽吸引加圧管絵図Ａ５７、分岐管絵図Ａ６２、凝集液注入管絵図Ａ８４、大気吸引管絵図Ａ８６等が描かれている。
【００６８】
なお、本実施形態においては、汚泥濃縮装置Ａの各部に対応する絵図は、「〜絵図」と称し、図面において、汚泥濃縮装置Ａの各部の符号の頭に「Ａ」を付した符号を用いている。但し、吸排切換弁５９、吐出側配管５３、吸込側配管５４、吸込側配管５４等に対応する絵図は、簡略化のために省略している。
【００６９】
上記各配管絵図および各切換弁絵図上には、発光体としてのＬＥＤ（発光ダイオード）１２０が所定間隔をおいて多数配設されている。ＬＥＤ１２０としては例えば赤色ＬＥＤが使用される。
【００７０】
図５に示すように、流路表示盤１１６上に設けられたＬＥＤ１２０−１〜ＬＥＤ１２０−ｎ（ｎは使用されているＬＥＤ１２０の数）の点灯および消灯を制御する点灯制御回路１２１は、近接センサ５９−１，５９−２，６１−１，６１−２，７３−１，７３−２，７７−１，７７−２，８５−１，８７−１からの出力信号に基づいて、各ＬＥＤ１２０−１〜ＬＥＤ１２０−ｎの点灯・消灯を制御する。点灯制御回路１２１は、そのＲＯＭ１２１ａに、上記各近接センサからの出力信号に対応付けた点灯・消灯パターン（発光パターン）を記憶しており、この点灯・消灯パターンに従って各ＬＥＤ１２０−１〜ＬＥＤ１２０−ｎの点灯および消灯を行う。
【００７１】
上記ＲＯＭ１２１ａに記憶されている点灯・消灯パターンについて、図６に示すテーブルおよび図７〜図１０に示す流路表示盤１１６に基づいて説明する。なお、図７〜図１０では、点灯しているＬＥＤ１２０を黒丸で表現し、消灯しているＬＥＤ１２０を白丸で表現している。
【００７２】
本実施形態では、後述する何れの点灯・消灯パターンにおいても、弁の操作状態に応じて流路となる配管を模式的に表す配管絵図上に配設されたＬＥＤ１２０が点灯され、その他の配管絵図上に配設されたＬＥＤが消灯されるものとなっている。
【００７３】
ＲＯＭ１２１ａに記録された点灯・消灯パターンによって実行される流路表示盤１１６上での各ＬＥＤの点灯および消灯は、図７〜図１０に示すようなものである。図６のテーブルは、ＲＯＭ１２１ａに格納されており、点灯制御回路１２１が各近接センサの検出状態から点灯・消灯パターンを決定する際に参照するものである。同テーブルの各列Ｌ１〜Ｌ４は、４通りの各近接センサの検出状態を示している。すなわち、各列Ｌ１〜Ｌ４の何れかの検出状態が満たされれば、点灯制御回路１２１は、これらの検出状態にそれぞれ対応付けた点灯・消灯パターンに従って各ＬＥＤ１２０の点灯および消灯を実行する。一方、各列Ｌ１〜Ｌ４の何れの検出状態も満たされなければ、点灯制御回路１２１は、全てのＬＥＤ１２０を消灯する。
【００７４】
例えば、点灯制御回路１２１が近接センサ５９−１，６１−１，７３−１，７７−１のＯＮ状態を検出し、近接センサ５９−２，６１−２，７３−２，７７−２，８５−１，８７−１のＯＦＦ状態を検出すると、図６のテーブルの列Ｌ１の検出状態が満たされる。すると、点灯制御回路１２１は、図７に示すように、吸引・排出ホース絵図Ａ１０、連繋管絵図Ａ９０、第１汚泥水供給管絵図Ａ７４、汚泥槽吸引加圧管絵図Ａ６０、分岐管絵図Ａ６２、反応槽吸引加圧管絵図Ａ５７およびエア切換弁絵図Ａ６１上のＬＥＤ１２０を点灯し、汚泥処理切換弁絵図Ａ７７および吸引通路切換弁絵図Ａ７３上のＬＥＤ１２０の一部も図示するように点灯する。つまり、汚泥処理切換弁絵図Ａ７７上のＬＥＤ１２０については、図７に示すように、吸引・排出ホース絵図Ａ１０上で点灯するＬＥＤ１２０と、連繋管絵図Ａ９０上で点灯するＬＥＤ１２０とが連続して見えるように、点灯および消灯が行われる。また、吸引通路切換弁絵図Ａ７３上のＬＥＤ１２０については、同図に示すように、連繋管絵図Ａ９０上で点灯するＬＥＤ１２０と第１汚泥水供給管絵図Ａ７４上で点灯するＬＥＤ１２０とが連続して見えるように、点灯および消灯が行われる。なお、点灯制御回路１２１は、第２汚泥水供給管絵図Ａ７５、汚水還流管絵図Ａ７６、槽連絡管絵図Ａ７２、凝集液注入管絵図Ａ８４および大気吸引管絵図Ａ８６上のＬＥＤ１２０ついては消灯する。
【００７５】
また、点灯制御回路１２１が近接センサ５９−１，６１−１，７３−２，７７−１のＯＮ状態を検出し、近接センサ５９−２，６１−２，７３−１，７７−２，８５−１，８７−１のＯＦＦ状態を検出すると、図６のテーブルの列Ｌ２の検出状態が満たされる。すると、点灯制御回路１２１は、図８に示すように、吸引・排出ホース絵図Ａ１０、連繋管絵図Ａ９０、槽連絡管絵図Ａ７２、反応槽吸引加圧管絵図Ａ５７、汚泥槽吸引加圧管絵図Ａ６０、分岐管絵図Ａ６２およびエア切換弁絵図Ａ６１上のＬＥＤ１２０を点灯し、汚泥処理切換弁絵図Ａ７７および吸引通路切換弁絵図Ａ７３上のＬＥＤ１２０の一部も図示するように点灯する。つまり、汚泥処理切換弁絵図Ａ７７上のＬＥＤ１２０については、図８に示すように、吸引・排出ホース絵図Ａ１０上で点灯するＬＥＤ１２０と、連繋管絵図Ａ９０上で点灯するＬＥＤ１２０とが連続して見えるように、点灯および消灯が行われる。また、吸引通路切換弁絵図Ａ７３上のＬＥＤ１２０については、同図に示すように、連繋管絵図Ａ９０上で点灯するＬＥＤ１２０と槽連絡管絵図Ａ７２上で点灯するＬＥＤ１２０とが連続して見えるように、点灯および消灯が行われる。なお、点灯制御回路１２１は、第２汚泥水供給管絵図Ａ７５、汚水還流管絵図Ａ７６、第１汚泥水供給管絵図Ａ７４、凝集液注入管絵図Ａ８４および大気吸引管絵図Ａ８６上のＬＥＤ１２０については消灯する。
【００７６】
また、点灯制御回路１２１が近接センサ５９−１，６１−２，７３−１，７７−１，８５−１，８７−１のＯＮ状態を検出し、近接センサ５９−２，６１−１，７３−２，７７−２のＯＦＦ状態を検出すると、図６のテーブルの列Ｌ３の検出状態が満たされる。すると、点灯制御回路１２１は、図９に示すように、凝集液注入管絵図Ａ８４、大気吸引管絵図Ａ８６および反応槽吸引加圧管絵図Ａ５７上のＬＥＤ１２０を点灯し、その他のＬＥＤ１２０を消灯する。
【００７７】
また、点灯制御回路１２１が近接センサ５９−２，６１−２，７３−２，７７−２のＯＮ状態を検出し、近接センサ５９−１，６１−１，７３−１，７７−１，８５−１，８７−１のＯＦＦ状態を検出すると、図６のテーブルの列Ｌ４の検出状態が満たされる。すると、点灯制御回路１２１は、図１０に示すように、吸引・排出ホース絵図Ａ１０、汚水還流管絵図Ａ７６、第２汚泥水供給管絵図Ａ７５、連繋管絵図Ａ９０、槽連絡管絵図Ａ７２および反応槽吸引加圧管絵図Ａ５７上のＬＥＤ１２０を点灯し、汚泥処理切換弁絵図Ａ７７および吸引通路切換弁絵図Ａ７３上のＬＥＤ１２０の一部も図示するように点灯する。つまり、図１０では、吸引・排出ホース絵図Ａ１０上で点灯するＬＥＤ１２０と、汚水還流管絵図Ａ７６上で点灯するＬＥＤ１２０とが連続して見え、且つ、第２汚泥水供給管絵図Ａ７５上で点灯するＬＥＤ１２０と、連繋管絵図Ａ９０上で点灯するＬＥＤ１２０とが連続して見えるように、汚泥処理切換弁絵図Ａ７７上のＬＥＤ１２０の点灯および消灯が行われる。
【００７８】
また、連繋管絵図Ａ９０上で点灯するＬＥＤ１２０と槽連絡管絵図Ａ７２上で点灯するＬＥＤ１２０とが連続して見えるように、吸引通路切換弁絵図Ａ７３上のＬＥＤ１２０の点灯および消灯が行われる。点灯制御回路１２１は、その他のＬＥＤ１２０については消灯する。
【００７９】
［作業手順およびＬＥＤ点灯・消灯動作］
以下、上記構成を備える汚泥濃縮車１により浄化槽Ｓの清掃処理を行う際の作業手順および流路表示盤１１６におけるＬＥＤ１２０の点灯・消灯動作について説明する。
【００８０】
＜原汚泥吸引作業１＞
浄化槽Ｓから汚泥槽８へ原汚泥を吸引する場合、吸引・排出ホース１０をホースリール９から巻き出し、その先端を浄化槽Ｓの嫌気槽Ｓ’へ挿入する。長尺の吸引・排出ホース１０に代えて短尺の吸引・排出ホース１４を使用することもできる。
【００８１】
嫌気槽Ｓ’内では、通常、上から順に、スカム２００、中間水２０１および沈殿汚泥２０２で３層を形成している（図２参照）。各層のタンク５内への吸引作業は、上層のスカム２００、中間層の中間水２０１、下層の沈殿汚泥２０２の順に行われる。
【００８２】
上層のスカム２００は、比較的固形分の占める割合が高いため、ドラムスクリーン１１を通さずに直接汚泥槽８内に吸引回収する。この吸引回収を行うため、吸引・排出ホース１０の先端を嫌気槽Ｓ’内のスカム２００に挿入し、真空ポンプ５２を駆動する。更に、図３に示す、吸排操作レバー５９Ｌを赤色の第１案内表示１１７ｃの方に操作することで吸排切換弁５９を切換位置ａとし、汚泥処理レバー７７Ｌを同じく赤色の第１案内表示１１７ｂの方に操作することで汚泥処理切換弁７７を切換位置ａとし、吸引通路切換レバー７３Ｌを下方に操作することで、吸引通路切換弁７３を切換位置ａとし、エア切換レバー６１Ｌを赤色の第１案内表示１１７ａの方に操作することで、エア切換弁６１を切換位置ａとし、ホースリール開閉レバー７９Ｌを下方向に操作することで、長尺ホース開閉弁７９を開放する。なお、大気開放弁６９、短尺ホース開閉弁８０、開閉弁８５，８７，８９は閉鎖されている。
【００８３】
なお、浄化槽Ｓからタンク５（汚泥槽８）へ汚泥を吸引するために吸引吸排操作レバー５９Ｌ、エア切換レバー６１Ｌおよび汚泥処理レバー７７Ｌが操作されるべき方向を案内する３つの第１案内表示が何れも赤色で表示されており、第２案内表示の色（青色）と異なるため、上記レバー５９Ｌ，６１Ｌ，７７Ｌの操作については、初心者でも簡単に行うことができる。また、操作に慣れた作業者にとっては、誤操作をするおそれが少なくなる。
【００８４】
上記各種レバー等の操作がなされると、真空ポンプ５２の吸込側と汚泥槽８とが連通して、汚泥槽８が減圧される。減圧される汚泥槽８と吸引・排出ホース１０の先端側も連通するため、吸引・排出ホース１０の先端部から汚泥槽８内にドラムスクリーン１１を介さずにスカム２００が吸引回収される。
【００８５】
このとき、図６のテーブルの列Ｌ１の検出状態が満たされるため、点灯制御回路１２１は、図７に示すように、吸引・排出ホース絵図Ａ１０、連繋管絵図Ａ９０、第１汚泥水供給管絵図Ａ７４、汚泥槽吸引加圧管絵図Ａ６０、分岐管絵図Ａ６２、反応槽吸引加圧管絵図Ａ５７およびエア切換弁絵図Ａ６１上のＬＥＤ１２０を点灯し、汚泥処理切換弁絵図Ａ７７および吸引通路切換弁絵図Ａ７３上のＬＥＤ１２０の一部を点灯し、その他のＬＥＤ１２０は消灯する。
【００８６】
このように、ＬＥＤ１２０の点灯・消灯が行われることで、流路表示盤１１６を見ながら作業を行う作業者は、浄化槽Ｓから原汚泥（スカム２００）が吸引排出ホース１０を通じて汚泥槽８内に吸引回収されるとともに、汚泥槽８が真空ポンプ５２によって減圧されることを視覚的に把握することができる。
【００８７】
＜原汚泥吸引作業２＞
スカム２００の汚泥槽８への吸引回収が完了した後、中間水２０１をタンク５内へ吸引する。中間水２０１は、比較的水分の占める割合が高いため、反応槽７へ吸引する。この吸引を行うため、上記状態より、吸引・排出ホース１０の先端を嫌気槽Ｓ’内の中間水２０１に挿入する。そして、吸引通路切換レバー７３Ｌを左方に操作することで、吸引通路切換弁７３を切換位置ｂに切換える。これにより近接センサ７３−１がＯＮからＯＦＦに変化するとともに、近接センサ７３−２がＯＦＦからＯＮに変化する。
【００８８】
上記レバー操作がなされると、減圧された反応槽７と吸引・排出ホース１０の先端側が連通されるため、吸引・排出ホース１０の先端部から反応槽７内に中間水２０１が吸引回収される。
【００８９】
このとき、図６のテーブルの列Ｌ２の検出状態が満たされるため、点灯制御回路１２１は、図８に示すように、吸引・排出ホース絵図Ａ１０、連繋管絵図Ａ９０、槽連絡管絵図Ａ７２、反応槽吸引加圧管絵図Ａ５７、汚泥槽吸引加圧管絵図Ａ６０、分岐管絵図Ａ６２およびエア切換弁絵図Ａ６１上のＬＥＤ１２０を点灯し、汚泥処理切換弁絵図Ａ７７および吸引通路切換弁絵図Ａ７３上のＬＥＤ１２０の一部も点灯し、その他のＬＥＤ１２０は消灯する。
【００９０】
このように、ＬＥＤ１２０の点灯・消灯が行われることで、流路表示盤１１６を見ながら作業を行う作業者は、浄化槽Ｓから原汚泥（中間水２０１）が吸引排出ホース１０を通じて反応槽７内に吸引されるとともに、反応槽７が真空ポンプ５２によって減圧されることを視覚的に把握することができる。
【００９１】
＜原汚泥吸引作業３＞
中間水２０１の反応槽７への吸引が完了した後、沈殿汚泥２０２をタンク５内へ吸引する。沈殿汚泥２０２は、比較的固形分の占める割合が高いため、ドラムスクリーン１１を介さずに、直接汚泥槽８内に吸引回収する。この吸引回収を行うため、上記状態より、吸引・排出ホース１０の先端を嫌気槽Ｓ’内の沈殿汚泥２０２に挿入し、再び吸引通路切換レバー７３Ｌを下方向に戻すことで、吸引通路切換弁７３を切換位置ａに切換える。これにより近接センサ７３−１がＯＦＦからＯＮに変化するとともに、近接センサ７３−２がＯＮからＯＦＦに変化する。
【００９２】
上記レバー操作がなされると、再び真空ポンプ５２の吸込側と汚泥槽８とが連通し、汚泥槽８が減圧される。また、減圧される汚泥槽８と吸引・排出ホース１０の先端側も連通するため、吸引・排出ホース１０の先端部から汚泥槽８内に沈殿汚泥２０２が吸引回収される。
【００９３】
このとき、図６のテーブルの列Ｌ１の検出状態が満たされるため、点灯制御回路１２１は、図７に示すように、ＬＥＤ１２０の点灯・消灯を行う。
【００９４】
このように、ＬＥＤ１２０の点灯・消灯が行われることで、流路表示盤１１６を見ながら作業を行う作業者は、浄化槽Ｓから原汚泥（沈殿汚泥２０２）が吸引排出ホース１０を通じて汚泥槽８内に吸引回収されるとともに、汚泥槽８が真空ポンプ５２によって減圧されることを視覚的に把握することができる。
【００９５】
＜凝集反応処理＞
沈殿汚泥２０２の汚泥槽８への吸引回収が完了した後、反応槽７内に吸引した中間水２０１に対して凝集反応処理を施す。この凝集反応処理を行うため、上記状態より、エア切換レバー６１Ｌを青色の第２案内表示１１８ａの方へ操作することで、エア切換弁６１を切換位置ｃに切換え、閉鎖している開閉弁８５，８７を開放し、ホースリール開閉レバー７９Ｌを右方に操作することで、開放している長尺ホース開閉弁７９を閉鎖する。すると、反応槽７が減圧されて、凝集タンク１２側より空気混ざりの凝集液が反応槽７内の中間水２０１に混入され、バブリングによる攪拌作用によって、凝集反応が均一に促進される。やがて、反応槽７内の中間水２０１からゲル状の凝集汚泥（２次汚泥）が生成される。
【００９６】
このとき、図６のテーブルの列Ｌ３の検出状態が満たされるため、点灯制御回路１２１は、図９に示すように、凝集液注入管絵図Ａ８４、大気吸引管絵図Ａ８６および反応槽吸引加圧管絵図Ａ５７上のＬＥＤ１２０を点灯し、その他のＬＥＤ１２０を消灯する。
【００９７】
この場合、流路表示盤１１６を見ながら作業を行う作業者は、反応槽７が真空ポンプ５２によって減圧され、凝集タンク１２から凝集剤が反応槽７内に供給されて、反応槽７内で凝集反応処理が行われていることを視覚的に把握することができる。
【００９８】
＜分離水排出作業＞
つぎに、反応槽７内で生成された上記２次汚泥と凝集せずに残った２次汚水とからなる２次汚泥水をドラムスクリーン１１へ圧送する。この処理を行うため、上記状態より、吸排操作レバー５９Ｌを青色の第２案内表示１１８ｃの方に操作することで、吸排切換弁５９を切換位置ｃとし、吸引通路切換レバー７３Ｌを左方に操作することで、吸引通路切換弁７３を切換位置ｂとし、汚泥処理レバー７７Ｌを青色の第２案内表示１１８ｂの方に操作することで、汚泥処理切換弁７７を切換位置ｂとする。また、エア切換レバー６１Ｌは、青色の第２案内表示１１８ａの方へ操作した状態を維持することで、エア切換弁６１を切換位置ｃに保持し、ホースリール開閉レバー７９Ｌを下方に操作することで、長尺ホース開閉弁７９を開放する。また、開放されている開閉弁８５，８７は閉鎖する。すると、反応槽７内の２次汚泥水は、槽連絡管７２、吸引通路切換弁７３、連繋管９０、汚泥処理切換弁７７、第２汚泥水供給管７５を通じてドラムスクリーン１１に圧送される。この２次汚泥水は、ドラムスクリーン１１において２次汚泥（ゲル状の凝集汚泥）と凝集せずに残った２次汚水（分離水）とに分離され、２次汚泥は、ドラムスクリーン１１から排出されて汚泥槽８内に蓄積される。一方、２次汚水（分離水）は水中ポンプ１１ａによって、汚水還流管７６、汚泥処理切換弁７７、原汚泥吸引管７８および吸引・排出ホース１０を通じて、浄化槽Ｓへ圧送される。
【００９９】
なお、ドラムスクリーン１１にて分離された分離水（汚水）を浄化槽Ｓへ排出するために吸引吸排操作レバー５９Ｌ、エア切換レバー６１Ｌおよび汚泥処理レバー７７Ｌが操作されるべき方向を案内する３つの第２案内表示が何れも青色で表示されており、第１案内表示の色（赤色）と異なるため、上記レバー５９Ｌ，６１Ｌ，７７Ｌの操作については、初心者でも簡単に行うことができる。また、操作に慣れた作業者にとっては、誤操作をするおそれが少なくなる。
【０１００】
このとき、図６のテーブルの列Ｌ４の検出状態が満たされるため、点灯制御回路１２１は、図１０に示すように、吸引・排出ホース絵図Ａ１０、汚水還流管絵図Ａ７６、第２汚泥水供給管絵図Ａ７５、連繋管絵図Ａ９０、槽連絡管絵図Ａ７２および反応槽吸引加圧管絵図Ａ５７上のＬＥＤ１２０を点灯し、汚泥処理切換弁絵図Ａ７７および吸引通路切換弁絵図Ａ７３上のＬＥＤ１２０の一部も点灯し、その他のＬＥＤ１２０を消灯する。
【０１０１】
このように、ＬＥＤ１２０の点灯・消灯が行われることで、流路表示盤１１６を見ながら作業を行う作業者は、真空ポンプ５２によって反応槽７が加圧され、反応槽７内の凝集反応処理が施された汚泥水がドラムスクリーン１１に圧送され、更にドラムスクリーン１１によって分離された分離水が浄化槽Ｓに戻されることを視覚的に把握することができる。
【０１０２】
分離水の戻し作業が完了した後は、真空ポンプ５２およびドラムスクリーン１１の駆動を停止し、開放した長尺ホース開閉弁７９等を閉鎖して、汚泥濃縮車１を処分場まで移動させる。
【０１０３】
＜濃縮汚泥排出作業＞
処分場では、開閉弁８９に短尺の吸引・排出ホース１４を接続し、各種の操作レバーを操作して、吸排切換弁５９を切換位置ｃとし、エア切換弁７１を切換位置ａとし、吸引通路切換弁７３を切換位置ｃとし、汚泥処理切換弁７７を切換位置ａとし、開閉弁８９を開放して、真空ポンプ５２を駆動する。すると、汚泥槽８内が加圧されて、汚泥槽８内に蓄積されている濃縮汚泥が排出管８８、短尺の吸引・排出ホース１４を通じて処分場に排出される。
【産業上の利用可能性】
【０１０４】
本発明は、多数のレバー操作を要する汚泥濃縮装置に適用可能である。
【符号の説明】
【０１０５】
Ａ・・・・・汚泥濃縮装置
ＡＳ・・・・浄化槽絵図
Ａ７・・・・反応槽絵図
Ａ８・・・・汚泥槽絵図
Ａ１０，Ａ５７，Ａ６２，Ａ７２，Ａ７４〜Ａ７６，Ａ８４，Ａ８６，Ａ９０・・・・・・・・・・・配管絵図
Ａ１１・・・ドラムスクリーン絵図（汚泥分離機絵図）
Ａ５２・・・ポンプ絵図
Ｓ・・・・・浄化槽（外部）
７・・・・・反応槽
８・・・・・汚泥槽
１１・・・・ドラムスクリーン（汚泥分離機）
５２・・・・真空ポンプ（ポンプ）
５９・・・・吸排切換弁
５９Ｌ・・・吸排操作レバー（操作部材）
５９−１，５９−２，６１−１，６１−２，７３−１，７３−２，７７−１，７７−２・・・・・・・近接センサ（操作状態検出手段）
６１・・・・エア切換弁
６１Ｌ・・・エア切換レバー（操作部材）
７３・・・・吸引通路切換弁
７３Ｌ・・・吸引通路切換レバー（操作部材）
７７・・・・汚泥処理切換弁
７７Ｌ・・・汚泥処理レバー（操作部材）
１１０・・・操作盤
１１６・・・流路表示盤（流路表示装置）
１１７ａ〜１１７ｂ・・・第１案内表示
１１８ａ〜１１８ｂ・・・第２案内表示
１２０・・・ＬＥＤ（発光体）
１２１・・・点灯制御回路（発光制御手段）
【図１】
2010214317.tif 000003
【図２】
2010214317.tif 000004
【図３】
2010214317.tif 000005
【図４】
2010214317.tif 000006
【図５】
2010214317.tif 000007
【図６】
2010214317.tif 000008
【図７】
2010214317.tif 000009
【図８】
2010214317.tif 000010
【図９】
2010214317.tif 000011
【図１０】
2010214317.tif 000012